(57)【特許請求の範囲】
【請求項１】
一端部に取出口が形成された容器本体と、上記取出口を塞いで設けられこの取出口の中心位置に透孔が形成されている中栓と、上記中栓内側に設けられ柔軟な弾性体で作られたバルブ部材が設けられ、上記バルブ部材には、上記中栓に係止される取付部と、上記中栓の上記透孔に挿通されその先端が上記中栓の外側に突出する突部と、上記突部の基端部付近に形成され上記中栓の上記透孔の周囲に密着しその透孔を閉塞する当接部と、上記当接部と上記取付部の間に押圧方向に対して直線状に傾斜して設けられ一定以上の押圧力が加えられるとこの押圧力よりも相対的に小さい反発力を残して座屈し、上記当接部と上記透孔との間に間隙を形成して屈曲する可撓部と、上記容器本体内と上記中栓内を連通させる空間が設けられていることを特徴とする塗布容器。
【請求項２】
中栓の先端部には、上記中栓の上記透孔とこの透孔から突出する上記バルブ部材の上記突部を覆う多孔体で作られた塗布部材が設けられていることを特徴とする請求項１記載の塗布容器。
【発明の詳細な説明】
【０００１】
【発明の属する技術分野】
この発明は、液体の医薬品や化粧品その他の流動性材料を収容し、使用後には収容物の流出を阻止可能な中空状の塗布容器に関する。
【０００２】
【従来の技術】
従来、皮膚に塗布して肩こりや皮膚病を治す液体の医薬品を収容する中空状の塗布容器があった。このような塗布容器は、容器本体の取出口に先細ノズル形の中栓が設けられ、中栓の先端には小さな透孔である注取出口が設けられていた。このような塗布容器は、使用していないときに内容物が流出しにくいように、注取出口が小さいものであった。
【０００３】
しかし、この塗布容器は注取出口が小さいため、内容物を注出するときに、容器を振ったり、容器の胴部を押圧する等の操作が必要であり、身体の所定の箇所に適量を微妙に調節して塗布することが難しかった。
【０００４】
そこで、内容物を容易に取り出し、また使用していないときに内容物の流出を防ぐようにしたものとして、図５に示すような塗布容器があった。この塗布容器は、やや固い合成樹脂製の容器本体１の筒状の取出口２に、やや固い合成樹脂製の中栓３が嵌合されて取り付けられている。中栓３は、取出口２の突出方向へ円錐状に突出するノズル部４が形成され、ノズル部４の先端には円筒状の注出部５が一体に形成されている。中栓３の下端部側、つまり容器本体１の一端の周縁部には、内側に突出する段部６が一周して形成されている。
【０００５】
また、中栓３の内側には、適度な弾力性を有する合成樹脂で作られたバルブ部材７が設けられている。バルブ部材７は、中栓３の注出部５の内側に嵌合される略三角柱状の突部８が設けられ、突起８と中栓３の注出部５内周面の間には、突起８の長手方向に沿って隙間部８ａが形成されている。突部８の下端部には、中栓３の、注出部５のノズル部４内周面に当接する当接面９が一周して形成されている。当接面９の下端部には、下方に延出する螺旋状のバネ部１０が一体に形成され、バネ部１０は複数本が互いに平行に螺旋を描いて設けられている。バネ部１０の下端部には、バネ部１０の外側を一周する円筒状の係止部１１が形成され、係止部１１の外側面には、中栓３の段部６に係止される凹部１２が一周して形成されている。そして、容器本体１の取出口２と中栓４を覆ってキャップ１３が設けられている。
【０００６】
図５に示す塗布容器の使用方法は、使用時にキャップ１３を外し、容器本体１を逆さまにし、内容物の液体を中栓３の内側に充填させ、内容物の薬剤を塗布する身体部分にバルブ部材７の突部８を押し当てる。するとバルブ部材７のバネ部１０が弾性変形して、突部８が中栓３の内側に入り、バルブ部材７の当接面９が中栓３の内側面から離れて隙間が生じる。この隙間から内容物が流出し、中栓部材３の注出部５に形成された隙間部８ａを通過して、内容物が外側に流出し身体の表面に塗布される。そして塗布容器を身体表面でこすりながら移動させ、身体に内容物を薄く広げることができる。
【０００７】
【発明が解決しようとする課題】
上記従来の技術の場合、中栓３とバルブ部材７は比較的硬い樹脂同士であるために密着性が不十分で、容器の完全な密閉ができなかった。また樹脂で作られたバネ部１０は、長期間の使用によりクリープ現象が強く発生し、熱や経時によってかなり弾性が低下するため、安定した開閉動作を保持することが難しかった。このため、使用時に蓋を開けたとき、ノズル部分に内容物の液が溜まっていたり、容器本体を逆さにしただけで突部を押していない状態であっても液が垂れてくる等の不具合があった。
【０００８】
この発明は上記従来の問題点に鑑みてなされたものであり、内容物の取り出し操作が確実であり、内容物の液漏れ、液だれ等を起こさず身体の所定の箇所に適量の内容物を塗布することができる塗布容器を提供することを目的とする。
【０００９】
【課題を解決するための手段】
この発明は、一端部に取出口が形成された容器本体と、上記取出口を塞いで設けられこの取出口の中心位置に透孔が形成されている中栓と、上記中栓内側に設けられゴム等の柔軟な弾性体で作られたバルブ部材が設けられている塗布容器である。そして、上記バルブ部材には、上記中栓に係止される取付部と、上記中栓の上記透孔に挿通されその先端が上記中栓の外側に突出する突部と、上記突部の基端部付近に形成され上記中栓の上記透孔の周囲に密着する当接部と、上記当接部と上記取付部の間に押圧方向に対して直線状に傾斜して設けられ一定以上の押圧力が加えられるとこの押圧力よりも相対的に小さい反発力を残して座屈し上記当接部と上記透孔との間に間隙を形成して屈曲する可撓部と、上記容器本体内と上記中栓内を連通させる空間が設けられている塗布容器である。
【００１０】
上記可撓部は、一定以上の力が加えられると座屈して、弱い力でも上記当接部と上記透孔との間に間隙を維持可能にし、上容器本体と上記中栓を連通状態にする。
【００１１】
また、上記中栓の先端部には、上記中栓の上記透孔とこの透孔から突出する上記バルブ部材の上記突部を覆う多孔体で作られた塗布部材が設けられている。
【００１２】
また、上記中栓の透孔の周囲には、上記透孔へ近づくにつれて内径が細くなるテーパ面である接触部が設けられ、上記バルブ部材の上記当接部の角度は、上記接触部に対向して平行となる。
【００１３】
この発明の塗布容器は、中栓の透孔から突出したバルブ部材の突部を、身体に押し当てて押圧すると、バルブ部材の可撓部が屈曲してバルブ部材の突部は中栓の内側に押し込まれる。このときバルブ部材の当接部は中栓の接触部から離れ、内容物が接触部と当接部の間にできた隙間から流れ出る。押圧をやめるとバルブ部材の可撓部の変形が元に戻り、再び中栓の接触部とバルブ部材の当接部は閉じられ、内容物の流出が止まる。
【００１４】
【発明の実施の形態】
以下、この発明の実施形態について図面に基づいて説明する。図１〜図５はこの発明の第一実施形態の塗布容器１０を示すもので、この実施形態の塗布容器１０は有底筒状の容器本体１２を有し、容器本体１２はやや固い合成樹脂で作られている。容器本体１２の上端部には径が小さい円筒状の取出口１４が一体に形成され、取出口１４の外側面には雄ねじ１６が形成されている。
【００１５】
取出口１４には、やや固い合成樹脂、例えば容器本体１２と同じ素材で作られた中栓１８が嵌合されて取り付けられている。中栓１８には、取出口１４の内側に嵌合される円筒状の取付部２０が設けられ、取付部２０の上端部には、取出口１４の上端部に当接するフランジ部２２が一周して形成されている。そしてフランジ部２２の内周縁部に連続して取出口１４の外方へ突出する円錐状のノズル部２４が形成されている。ノズル部２４の先端には小さい径の筒状の注出部２６が一体に形成され、注出部２６の先端には透孔である注出口２７が開口している。ノズル部２４の先端部の中栓１８の内周面には、透孔の内壁を構成し注出部２６へ近づくにつれて内径が細くなるテーパ面である接触部２８が形成されている。
【００１６】
そして、中栓１８の内側には、バルブ部材３０が設けられている。バルブ部材３０は、柔軟性が高いシリコーンゴムやその他柔軟な樹脂、各種のゴム等で作られ、中栓１８のノズル部２４の内側にゆとりを有して入れられる円柱状の本体部３２が形成されている。そして、本体部３２の上端部には、中栓１８の注出部２６の注出口２７に挿通される細長い突部３４が一体に形成されている。突部３４の突出方向に対して直角な断面形状は角部がとれた略三角形状であり、円筒状の注出口２７の内周面の間に３本の空間３５が形成される。バルブ部材３０の突部３４は、中栓１８の注出部２６よりも長く形成され、装着状態で中栓１８の注出部２６の注出口２７から突部３４の先端が突出している。
【００１７】
バルブ部材３０の、本体部３２と突部３４の境界部分には、径が異なる本体部３２と突部３４を繋ぐテーパ面である当接部３６が一体に形成されている。当接部３６の角度は、中栓１８の接触部２８に対向して平行になるように形成されている。
【００１８】
バルブ部材３０の本体部３２の下端部には、薄板状の可撓部３８が下方に延出して一体に形成されている。可撓部３８は、本体部３２の下端部３２ａの周縁部に、押圧方向に対して直線状に傾斜して、互いに等間隔に４箇所設けられ、可撓部３８同士の間は透孔状の空間が形成されている。各可撓部３８の下端には、環状の取付部４０が続けて一体に設けられている。取付部４０は、中栓１８の取付部２０の内周面に緊密に嵌合される大きさである。
【００１９】
次に、この実施形態の塗布容器１０の使用方法について説明する。容器本体１２に、肩こりや皮膚病等を治す液体の医薬品を入れ、容器本体１２の取出口１４に、予めバルブ部材３０を係止した中栓１８を取り付ける。さらに容器本体１２の取出口１４には、中栓１８とバルブ部材３０を覆う図示しない外蓋を、雄ねじ１６に螺合させて取り付ける。
【００２０】
そして、容器本体１２から内容物を取り出すときは、容器本体１２を逆さまにして中栓１８の、注出部２６の注出口２７から突出する突部３４の先端を身体表面に押し当てる。このとき内容物は、可撓部３８同士の間に位置する隙間を通過して、中栓１８のノズル部２４とバルブ部材３０の本体部３２の間に充満する。そして、突起３４に一定以上の押圧力が生じると、バルブ部材３０の可撓部３８が座屈してバルブ部材３０の突部３４が中栓１８の注出部２６の内側に押し込まれる。座屈した後の反力は小さいので、軽く押さえているだけで開口状態を維持できる。このとき、バルブ部材３０の当接部３６と中栓１８の接触部２８が離れ、隙間が形成され、内容物はこの隙間を通過して、中栓１８の注出部２６の注出口２７へ流れ出る。そして内容物は、注出口２７内にバルブ部材３０により形成された空間３５を通過して、注出口２７から流れ出し、身体に塗布される。そして、容器本体１２を身体表面上で移動することにより、身体表面に内容物を薄く広げることができる。
【００２１】
塗布容器１０から、任意の量の内容物を取り出した後、バルブ部材３０の突部３４の押圧をやめるとバルブ部材３０の押圧が解除され、バルブ部材３０の可撓部３８の変形が復元してバルブ部材３０が元の位置に戻る。そして、バルブ部材３０の当接部３６は、再び中栓１８の接触部２８に当接する。座屈していない状態のバルブ部材３０の反力は大きいので、当接面は強く押さえられる。さらに、バルブ部材３０は柔軟性が高い素材で作られているため、中栓１８に密着し、内容物は確実に流れ出なくなる。
【００２２】
この実施形態の塗布容器１０は、バルブ部材３０が柔軟性の高い素材で作られているため、中栓１８に密着し、不使用時の内容物の液漏れを確実に防ぐことができる。さらに、バルブ部材３０の突部３４をある程度の力で押圧するとバルブ部材３０の可撓部３８が座屈するため、少しの力で中栓１８とバルブ部材３０の間に大きい隙間が生じ、内容物を容易に取り出すことができる。また、可撓部３８が座屈するときに、クリック感を生じさせるため、そのクリック感により使用者は内容物が出るかどうかを容易に判断することができる。また、バルブ部材３０はゴム等の柔軟な素材で作られ、樹脂のようなクリープ現象を起こしにくく、また可撓部３８は板状に形成されて経時変化を起こしにくいいため、安定した開閉動作が可能となる。中栓１８の注出部２６とバルブ部材３０の突部３４の間には突部３４の突出方向に沿って空間３５が３本形成されるため、一度突出部２８内に流れ出た内容物は速やかに注出口２７から外へ出すことができ衛生的である。そして、可撓部３８は、バルブ部材３０が柔軟なゴム等の弾性体で作られているため、突部に接触した身体表面を傷つけたり痛みを与えたりすることがなく、安全である。
【００２３】
次にこの発明の第二実施形態について図４に基づいて説明する。ここで、上述の実施の形態と同様の部材は同一の符号を付して説明を省略する。この実施形態の塗布容器４２は、容器本体１２の取出口１４に取り付けられる中栓４４が設けられている。中栓４４は、取出口１４の内側に嵌合される円筒状の取付部４６が設けられ、取付部４６の下端部には、取付部４６の内側へ向かってＬ字形に折り曲げられた係止部６７が一周して設けられている。
【００２４】
取付部４６の上端部付近には内側に突出する内側フランジ部４８が一周して形成されている。一周する内側フランジ部４８に囲まれた中心は開口部４９となっている。そして内側フランジ部４８の内周面は、下側の角部が斜めに切り欠かれて接触面５０が形成されている。内側フランジ部４８の基端部付近には、上方とわずかに側方に丸く突出する膨出部５２が一周して形成されている。取付部４６の外側面には、膨出部５２よりも少し下側に、側方へ突出する外側フランジ部５４が一周して形成されている。
【００２５】
外側フランジ部５４の外側には、円筒形で直径方向の断面形状がＬ字形の枠部材５６が膨出部５２に接して嵌合し接着されている。枠部材５６と膨出部５２の間には、スポンジ等の多孔体で作られた塗布部材５８の周縁部が位置し、中栓４４の開口部４９及び膨出部５２を覆っている。塗布部材５８は円形に切断されたシート状物であり、その周縁部が膨出部５２と枠部材５６に狭持され、中栓４４の内側フランジ部４８と後述するバルブ部材６０を覆って取り付けられている。
【００２６】
中栓４４の内側には、バルブ部材６０が設けられている。バルブ部材６０は、柔軟性が高いシリコーン樹脂やその他合成樹脂、各種ゴム等で作られ、中栓４４の取付部４６の内側に入れられる円柱状の本体部６２が設けられている。そして、本体部６２の内側は、下面に開口する空間が設けられた中空である。本体部６２の上端部には、中栓４４の内側フランジ部４８の開口部４９に挿通される突部６４が一体に形成されている。突部６４は上方に膨出する半球状であり、内側フランジ部４８よりも外側に突出している。
【００２７】
また、バルブ部材６０の本体部６２と突部６４の境界には、径が異なる突部６４と本体部６２を繋ぐテーパ面である当接部６６が一体に形成されている。当接部６６の角度は、中栓４４の接触部５０に対向して平行に形成されている。本体部６２の下端部には、薄板状の可撓部６８が下方に延出して一体に形成されている。可撓部６８は、本体部６２の下端部６２ａの周縁部に互いに等間隔に４箇所に設けられ、可撓部６８同士の間は透孔状の空間が形成されている。各可撓部６８の先端には、環状の取付部７０が連続して一体に設けられている。取付部７０は、中栓４４の取付部４６の内周面に嵌合される大きさに形成され、取付部４６の係止部６７に係止され、落脱を防いでいる。
【００２８】
次に、この実施形態の塗布容器４２の使用方法について説明する。容器本体１２に肩こりや皮膚病を治す液体の医薬品を入れ、容器本体１２の取出口１４に、予めバルブ部材６０を取り付けた中栓４４を取り付ける。さらに容器本体１２の取出口１４には、中栓４４とバルブ部材６０を覆う図示しない外蓋を、雄ねじ１６に螺合させて取り付ける。
【００２９】
そして、容器本体１２から内容物を取り出すときは、容器本体１２を逆さまにして塗布部材５８を身体表面に押し当てる。このとき内容物は可撓部６８同士の間に位置する隙間を通過して、中栓４４のノズル部とバルブ部材６０の本体部６２の間に充満する。そして塗布部材５８は容易に変形して身体に密着し、また突部６４が身体に押圧され一定以上の押圧力が生じると、バルブ部材６０の可撓部６８が座屈してバルブ部材６０の突部６４が中栓４４の内側に押し込まれる。このとき、バルブ部材６０の当接部６６と中栓４４の接触部５０が離れ、隙間が形成され、内容物はこの隙間を通過して、中栓４４と塗布部材５８の多数の細孔内に充満する。内容物は、塗布部材５８の細孔を通過して外側へ流れ身体に塗布される。そして、容器本体１２を移動することにより、身体に内容物を薄く広げることができる。
【００３０】
塗布容器４２から、任意の量の内容物を取り出した後、塗布部材５８の押圧をやめるとバルブ部材６０の突部６４の押圧が解除され、バルブ部材６０の可撓部６８の変形が復元してバルブ部材６０が元の位置に戻る。そして、バルブ部材６０の当接部６６は再び中栓４４の接触部５０に当接する。このとき、バルブ部材６０は柔軟性が高い素材で作られているため、中栓４４に密着し、内容物は確実に流れ出なくなる。
【００３１】
この実施形態の塗布容器４２は、上記実施の形態と同様の効果を有するものである。さらに、身体表面に当接する部分が塗布部材５８であるため、内容物が塗布部材５８の細孔から均等に流れ出るため、内容物を身体に広く均等に取り付けることができる。また、塗布部材５８は柔軟な素材で作られているため、感触が柔らかくて良好である。
【００３２】
なお、この実施形態の塗布部材は、上記各実施形態に限定されるものではなく、各部材の形状や素材等変更可能である。バブル部材の取付部は、第一実施形態のようにバブル部材の素材の柔軟性により中栓の取付部に係止されても良く、第二実施形態のように中栓に形成された係止部に係止されても良い。
【００３３】
【発明の効果】
この発明の塗布容器は、内容物の取り出し操作が確実であるとともに、中栓とバルブ部材とが確実に密着し、内容物の液漏れや液垂れ等を起こさず、身体の所定の箇所に適量の内容物を塗布することができる。さらに、バルブ部材を少しの力で押圧することにより中栓とバルブ部材の間で大きい隙間が生じ、内容物を容易に取り出して身体に塗布することができる。また、内容物を取り出していないときは、バルブ部材が中栓に密着して液漏れを確実に防ぐことができる。外部に露出した突部も柔軟な弾性体で構成することにより、身体に当接する部分が柔らかく、皮膚を傷つけることもない。
【図面の簡単な説明】
【図１】  この発明の第一実施形態の塗布容器の拡大縦断面図である。
【図２】  この実施形態の塗布容器の、内容物が出る状態を示した拡大縦断面図である。
【図３】  この実施形態の塗布容器の部分縦断面図である。
【図４】  この発明の第二実施形態の塗布容器の拡大縦断面図である。
【図５】  従来の技術の塗布容器の拡大縦断面図である。
【符号の説明】
１０  塗布容器
１２  容器本体
１４  取出口
１６  雄ねじ
１８  中栓
２０  取付部
２２  フランジ部
２４  ノズル部
２６  注出部
２７  注出口
２８  接触部
３０  バルブ部材
３２  本体部
３４  突部
３６  当接部
３８  可撓部
４０  取付部
【図１】
0004567176.tif 000002
【図２】
0004567176.tif 000003
【図３】
0004567176.tif 000004
【図４】
0004567176.tif 000005
【図５】
0004567176.tif 000006